(57)【要約】【課題】  細い通信線を用いる場合でも接続コンタクト点を多くして、接続の信頼性を確保する。【解決手段】  クランプ端子の導線を接続端子板に圧接する板バネの端部の位置の近傍に凸部を設ける。【選択図】    図１
2005339941.tif 000002
【特許請求の範囲】
【請求項１】
絶縁材料からなるハウジングと、前記ハウジング内に収納され挿入される導線との接触で接続される導電性の接続端子と、この接続端子に対向して設けられ、前記導線が挿入されていないときは前記ハウジング内で前記接続端子に圧接し、前記導線が挿入されたときは前記導線を前記接続端子に押圧するバネとを備え、
前記バネはその先端で前記導線に接触する位置がその先端部の１箇所となる断面がＵ字型のバネである
クランプ端子において、
前記接続端子の前記バネの先端が当接する位置の近傍に少なくとも一つの凸部が設けられた
ことを特徴とするクランプ端子。
【請求項２】
前記接続端子の凸部が前記バネの先端が前記接続端子に当接する位置より０．９ないし１．８ｍｍの先の位置に設けられ、その高さは０．１ないし０．２ｍｍに設定された請求項１記載のクランプ端子。
【請求項３】
前記接続端子の凸部が前記バネの先端が前記接続端子に当接する位置の前後０．９ないし１．８ｍｍの位置に二つ設けられ、その高さは、０．１ないし０．２ｍｍに設定された請求項１記載のクランプ端子。
【発明の詳細な説明】
【技術分野】
【０００１】
本発明は、通信線などの導線を接続するクランプ端子に関する。本発明は電話線を集合住宅やオフィス内に設けられたＭＤＦや交換機、あるいは電話用保安器などで使用されるクランプ端子の接続構造の改良に関する。
【背景技術】
【０００２】
図６に従来のクランプ端子として、Ｓ字バネを用いるクランプ端子の断面構造の例を示す。この図６に示すクランプ端子では、クランプ端子のハウジング１の上面に設けられたプッシュボタン２と、接続端子板４とこれに対向して設けられ、その端部が接続端子板に当接するＳ字型の板バネ５とが収納されている構造である。
【０００３】
通信用電線などの導線３の端部をこのクランプ端子に接続するには、ハウジング１の上面に設けられている導線挿入穴から導線３の端部を挿入する。導線３は、板バネ５の端部を押しながら挿入され、Ｓ字型の下部の接続端子板４と近接あるいは接している位置まで挿入される。板バネ５の押圧力により導線３は接続端子板４に圧接される。導線３を引き抜くときは、プッシュボタン２を押し下げると、そのプッシュボタン２の押し下げによって、板バネ５が押し下げられて、板バネ５の端部５と導線３との間に間隙が形成されるので、導線３を引き抜くことができる。
【０００４】
このとき、図７の模式図に簡単に示されるように、Ｓ字型の板バネを用いる場合には、接続端子板４と導線３とのコンタクト点は、２点確保でき、接続の信頼性を保持している。
【０００５】
一方、板バネ５として、Ｓ字型ではなく、Ｕ字型のものを用いるクランプ端子もある。その断面図の例を図８に示す。このＵ字型の板バネ５を用いるものは、Ｓ字型の板バネを用いるものに比べると、接続端子板４と導線３とのコンタクト点は、Ｕ字型の板バネ５の端部で押圧される１点だけになる。
【０００６】
【特許文献１】特開２００１−２３７０６号公報
【特許文献２】特開２００１−３５５６１号公報
【特許文献３】特開２００１−２０３０１１号公報
【発明の開示】
【発明が解決しようとする課題】
【０００７】
通信線として用いる電線としては、直径０．４ｍｍ、０．６５ｍｍ、０．９ｍｍのものが使用されている。しかし、装置の小型化などの理由から通信線としてはできるだけ径の小さいものを使用したい要望がある。従来使用されていたφ０．６５単線（径０．６５ｍｍ）の場合には、Ｓ字型板バネを用いたクランプ端子では、Ｓ字型の下部の接続端子板４とのコンタクト点まで、導線を挿入することができ、２点のコンタクト点が確保できるから、十分な信頼性を確保できる。しかし、さらに細いφ０．４単線を用いる場合、図９に模式図として示すように線材の腰が弱いため、導線の先端がＳ字型板バネの下部に当たって折れ曲がり、接続されないことがある。φ０．４単線を使用して確実に接続するためには、導線を抜くために使用されるプッシュボタン２を押しながら挿入する必要があり、作業者に十分な注意を要求することになる問題がある。
【０００８】
また、図８に示すＵ字型の板バネを用いるクランプ端子の場合は、Ｓ字型板バネのように導線の端部が折れ曲がることはなくなるが、接続端子板と導線とのコンタント点は１点しか確保できないため、接続の信頼性がＳ字型板バネを用いるクランプ端子の場合より十分ではない問題がある。
【０００９】
本発明は上述の問題を解決するもので、φ０．４単線のような細い導線を用いる場合でも接続端子板と導線とのコンタクト点を２点以上確保することができ、信頼性の高いクランプ端子を提供することを目的とする。また、導線をクランプ端子に挿入するときに、導線の端部が折り曲げられないような作業を作業者に要求することがないクランプ端子を提供することを目的とする。
【課題を解決するための手段】
【００１０】
本発明は、クランプ端子の接続端子板に凸部を設け、Ｕ字型板バネを使用した場合に、導線と接続端子板とのコンタクト点を少なくとも２点確保するようにすることを特徴とする。
【００１１】
接続端子板のＵ字型板バネと当接する点の近傍の適当な位置に凸部を設ける。導線を挿入すると、Ｕ字型板バネの端部に押圧されて接続端子板に圧接する従来からのコンタクト点以外に、凸部でコンタクト点を確保でき、接続の信頼性が高まる。また、細いφ０．４の単線を挿入しても折れ曲がることなく挿入することができる。
【００１２】
すなわち、本発明は、絶縁材料からなるハウジングと、前記ハウジング内に収納され挿入される導線との接触で接続される導電性の接続端子と、この接続端子に対向して設けられ、前記導線が挿入されていないときは前記ハウジング内で前記接続端子に圧接し、前記導線が挿入されたときは前記導線を前記接続端子に押圧するバネとを備え、前記バネはその先端で前記導線に接触する位置がその先端部の１箇所となる断面がＵ字型のバネであるクランプ端子において、前記接続端子の前記バネの先端が当接する位置の近傍に少なくとも一つの凸部が設けられたことを特徴とする。
【００１３】
前記接続端子の凸部は、前記バネの先端が前記接続端子に当接する位置より０．９ないし１．８ｍｍの先の位置に設けられ、その高さは０．１ないし０．２ｍｍに設定されることが好ましい。
【００１４】
また、前記凸部は、前記バネの先端が前記接続端子に当接する位置の前後に設けられてもよい。
【発明の効果】
【００１５】
本発明は、Ｕ字型板バネを用いながら、細い径の導線を折れ曲がるようなことなく挿入することができる。また、複数のコンタクト点を確保できるため、接続の信頼性を高めることができる。
【発明を実施するための最良の形態】
【００１６】
以下図面を参照して本発明の実施の形態を説明する。
【００１７】
図１は、本発明一実施例のクランプ端子の分解斜視図を示す図である。図２は、このクランプ端子のＡ−Ａ断面を示す図である。この図１、２は、出願人が先願（特願２００３−４２６５３９  本願出願時には未公開）で開示した通信線保安装置に使用するクランプ端子の構造を示すものである。
【００１８】
本実施例のクランプ端子は、クランプ端子のハウジング１に、接続端子板４と、Ｕ字型板バネ５とが対向した形態で収納されたクランプ端子であり、板バネ５のスプリング力で導線３を接続端子板４に圧接して導線３と接続端子板４とを接続固定するものである。ハウジング１の上面には、プッシュボタン２が設けられており、クランプ端子に挿入した導線３を引き抜くときは、このプッシュボタン２を押し下げ板バネ５を押し下げることにより、導線３にかかる板バネ５の押圧力を除いて導線３を引き抜く。このクランプ端子の接続端子板は折れ曲がって形成された溝内にその端部が露出し、溝内に挿入される保安回路の端子に接続される構造となっている。
【００１９】
ここにおいて、本発明実施例の特徴は、クランプ端子の接続端子板４に凸部４ａを設けたところにある。この凸部４ａは、Ｕ字型の板バネ５が接続端子板４に当接する位置の近傍に設けられている。
【００２０】
図３は、接続端子板４の凸部４ａの位置と、挿入された導線３と接続端子板４、Ｕ字型板バネ５の端部との関係を説明する図であり、図２で四角に囲った部分を拡大した図面である。図３は、導線３の径が０．４ｍｍの場合の例であり、凸部は、板バネ５の端部が導線３に接触する位置から最大で１．８ｍｍ先の位置に設けられている。その高さは、０．１ないし０．２ｍｍである。径０．６ｍｍの導線の場合には、凸部４ａの位置は、最小０．９ｍｍの位置に設ける。
【００２１】
板バネ５と凸部４ａの距離が近過ぎると径が大きい導線の場合には、コンタクト点が１点だけになってしまい、また、板バネ５と凸部４ａとの距離が遠過ぎると細い径の導線の場合には導線が凸部４ａに接触しない場合があるので、板バネと凸部との距離は０．９ないし１．８ｍｍの範囲であることが好ましい。
【００２２】
さらに、凸部の高さがあまり高いと、細い径の導線の場合、凸部で座屈してしまい、コンタクト点が２点にならない問題があるので、凸部の高さは、０．１ないし０．２ｍｍの範囲が好ましい。
【００２３】
このように構成することで、図４の模式図に示されるように、接続端子板４と導線３とのコンタクト点は、板バネ５に圧接される点と、凸部４ａで接する点の２箇所を確保できる。
【００２４】
図５は、凸部を板バネ５の端部との接続点の前後に二つ設けた例を示すものであり、板バネ５の端部の先に設けた４ａと、端部の前の４ｂの２箇所設ける。挿入された導線３は、最初の凸部４ｂに接触し板バネ５の端部を押しながら挿入され、先の凸部４ａとも接触する。この図５の例では、導線３と接続端子板４とは３箇所のコンタクト点を確保できる。
【００２５】
なお、凸部は、接続端子板上に設けられるので、実際の形態は、図１に示されるように、ある幅をもったいわゆるかまぼこ型に形成される。
【図面の簡単な説明】
【００２６】
【図１】本発明一実施例のクランプ端子の構造を説明する分解斜視図。
【図２】図１のＡ−Ａ断面図。
【図３】図２の部分拡大図。
【図４】実施例のコンタクト点を説明する模式図。
【図５】凸部が２箇所設けられた実施例のコンタクト点を説明する模式図。
【図６】従来のＳ字型板バネを用いるクランプ端子の断面を説明する図。
【図７】従来のＳ字型板バネを用いるクランプ端子のコンタクト点を説明する模式図。
【図８】従来のＵ字型板バネを用いるクランプ端子の断面を説明する図。
【図９】従来のＳ字型板バネを用いるクランプ端子での導線の座屈を説明する図。
【符号の説明】
【００２７】
１  ハウジング
２  プッシュボタン
３  導線
４  接続端子板
４ａ、４ｂ  凸部
５  板バネ
【図１】
2005339941.tif 000003
【図２】
2005339941.tif 000004
【図３】
2005339941.tif 000005
【図４】
2005339941.tif 000006
【図５】
2005339941.tif 000007
【図６】
2005339941.tif 000008
【図７】
2005339941.tif 000009
【図８】
2005339941.tif 000010
【図９】
2005339941.tif 000011